(57)【要約】      （修正有）【課題】構造が簡単で、人力でパイプを回す必要がなく、加工スピードが調整可能なスチルパイプウェルド研磨装置を提供する。【解決手段】スチルパイプウェルド研磨装置は、ウェルド５、支柱１及び支柱と垂直に固定接続された台座７を含み、支柱のトップにはストッパー１２が設置され、支柱の前端面にスパウト１１が設置され、スパウトの前端面にＬ字形のスライダー２があり、Ｌ字形スライダーはスパウトと滑り嵌め接続され、Ｌ字形スライダーの前端面に第一駆動モーター１０が設置され、第一駆動モーターのトップには回転スピードを調整する電子制御ユニット１７が設置され、第一駆動モーターの下部に砥石台３が設置され、砥石台と第一駆動モーターの間にシャフト９が設置され、シャフトはＬ字形のスライダーを通り抜けて第一駆動モーターと回転接続される。【選択図】図１
0003201452.tif 000002
【実用新案登録請求の範囲】
【請求項１】
加工スピードが調整可能なスチルパイプウェルド研磨装置において、ウェルド（5）、支柱（1）及び支柱（1）と固定接続された台座（7）を含み、その支柱（1）の先端にはストッパー（12）が設置してあり、その支柱（1）にはスパウト（11）が設置してあり、そのスパウト（11）にはL字形のスライダー（2）があり、そのＬ字形スライダー（2）はそのスパウト（11）と接続され、そのＬ字形スライダー（2）には第一駆動モーター（10）が設けられ、その第一駆動モーター（10）には第一駆動モーター（10）の回転スピードを調整する電子制御ユニット（17）が設けられ、その電子制御ユニート（17）とその第一駆動モーター（10）とは繋がり、その第一駆動モーター（10）の下部には砥石台（3）が設置してあり、その砥石台（3）とその第一駆動モーター（10）の間にはシャフト（9）が設置してあり、そのシャフト（9）はL字形のスライダー（2）を通り抜けて第一駆動モーター（10）と回転接続され、その台座（7）の左側と右側にはスクロール装置（4）がそれぞれ設置してあり、これらスクロール装置（4）にはスチールパイプ（6）が設けられ、スチールパイプ（6）の外側にクランプ（13）が設置してあり、そのクランプ（13）の外側のスクロールリング（14）とそのスクロール装置（4）の間にボールベアリング（15）が設置してあり、そのスクロール装置（4）の外側の台座（7）の上に第二駆動モーター（8）があり、その第二駆動モーター（8）の外側にゴムフリクションホイール（16）が設置してあり、そのゴムフリクションホイール（16）と第二駆動モーター（8）とは回転接続され、そのゴムフリクションホイール（16）とそのスチールパイプ（6）とは接続されたことを特徴とするスチルパイプウェルド研磨装置。
【請求項２】
請求項１に記載のスチルパイプウェルド研磨装置において、その砥石台（3）はスチールパイプ（6）のウェルド（5）上に設置してあることを特徴とするスチルパイプウェルド研磨装置。
【請求項３】
請求項１に記載のスチルパイプウェルド研磨装置において、そのクランプ（13）とスクロールリング（14）の内部とは固定接続されることを特徴とするスチルパイプウェルド研磨装置。
【請求項４】
請求項１に記載のスチルパイプウェルド研磨装置において、そのL字形のスライダー（2）は第一駆動モーター（10）と固定接続されることを特徴とするスチルパイプウェルド研磨装置。
【考案の詳細な説明】
【技術分野】
【０００１】
本実用新型はスチールパイプ研磨装置に関連し、特に、一種の加工スピードが調整可能なスチルパイプウェルド研磨装置である。
【背景技術】
【０００２】
現有のスチールパイプ研磨機は一般的に作業者が手で研磨する設計で、作業者は研磨機を使ってスチールパイプの溶接繋ぎのところを研削する。研削する過程、スチールパイプをずっと旋回する必要があるから、研磨作業は時間をかかり、研磨効率も低い。
【考案の概要】
【考案が解決しようとする課題】
【０００３】
本実用新型は解決する必要な問題は構造が簡単で、人力でパイプを回す必要のない、そして時間も労力節約できる加工スピードが調整可能なスチールパイプウェルド研磨装置を提供する。
【課題を解決するための手段】
【０００４】
本実用新型は以下の技術案を通して実現した：本実用新型の加工スピードが調整可能なスチルパイプウェルド研磨装置は、ウェルド、支柱及び支柱と垂直で固定接続された台座を含め、その支柱のトップにはストッパーが設置してあり、その支柱の前端面にスパウトが設置してあり、そのスパウトの前端面にL字形のスライダーがあり、そのＬ字形スライダーはそのスパウトと滑り嵌め接続で、そのＬ字形スライダーの前端面に第一駆動モーターを設置してあり、その第一駆動モーターのトップには第一駆動モーターの回転スピードを調整する電子制御ユニットを設定してあり、その電子制御ユニートとその第一駆動モーターと繋がり、その第一駆動モーターの下部に砥石台が設置してあり、その砥石台とその第一駆動モーターの間にシャフトが設置してあり、そのシャフトはL字形のスライダーを通り抜けて第一駆動モーターと回転接続され、その台座の左側と右側のトップにスクロール装置が別々設置してあり、そのスクロール装置の真ん中にスチールパイプを設置してあり、スチールパイプの外側にクランプを設置してあり、そのクランプの外側にスクロールリングとそのスクロール装置の間にボールベアリングを設置してあり、そのスクロール装置の外側の台座の上に第二駆動モーターがあり、その第二駆動モーターの外側にゴムフリクションホイールが設置してあり、そのゴムフリクションホイールと第二駆動モーターと回転接続され、そのゴムフリクションホイールとそのスチールパイプと合わせて接続された。
【０００５】
より良い技術案は、その砥石台はスチールパイプの上のウェルドと相対的に設置してある。
【０００６】
より良い技術案は、そのクランプとスクロールリングの内部と固定接続する。
【０００７】
より良い技術案は、そのL字形のスライダーは第一駆動モーターと固定接続する。
【考案の効果】
【０００８】
本実用新型の有益な効果は：構造が簡単で、使用便利、操作しやすい、作業者の労働強度を削減し、スチールパイプが研磨後、パイプの滑らかさを高めた上、研磨する時間は短く、作業効率も高い。
【図面の簡単な説明】
【０００９】
【図１】本実用新型の加工スピードが調整可能なスチルパイプウェルド研磨装置の構造の見取り図。
【図２】本実用新型のスクロールユニート構造の見取り図。
【考案を実施するための形態】
【００１０】
図面１と図面２に示された通り、本実用新型の加工スピードが調整可能なスチルパイプウェルド研磨装置、ウェルド5、支柱1及び支柱1と垂直で固定接続された台座7を含め、その支柱1のトップにはストッパー12が設置してあり、その支柱1の前端面にスパウト11が設置してあり、そのスパウト11の前端面にL字形のスライダー2があり、そのＬ字形スライダー2はそのスパウト11と滑り嵌め接続で、そのＬ字形スライダー2の前端面に第一駆動モーター10を設置してあり、その第一駆動モーター10のトップには第一駆動モーター10の回転スピードを調整する電子制御ユニット17を設定してあり、その電子制御ユニート17とその第一駆動モーター10と繋がり、その第一駆動モーター10の下部に砥石台3が設置してあり、その砥石台3とその第一駆動モーター10の間にシャフト9が設置してあり、そのシャフト9はL字形のスライダー2を通り抜けて第一駆動モーター10と回転接続され、その台座7の左側と右側のトップにスクロール装置4が別々設置してあり、そのスクロール装置4の真ん中にスチールパイプ6を設置してあり、スチールパイプ6の外側にクランプ13を設置してあり、そのクランプ13の外側にスクロールリング14とそのスクロール装置4の間にボールベアリング15を設置してあり、そのスクロール装置4の外側の台座7の上に第二駆動モーター8があり、その第二駆動モーター8の外側にゴムフリクションホイール16が設置してあり、そのゴムフリクションホイール16と第二駆動モーター8と回転接続され、そのゴムフリクションホイール16とそのスチールパイプ6と合わせて接続された。
【００１１】
その中、その砥石台３はスチールパイプ6の上のウェルド5と相対的に設置してある。
【００１２】
その中、そのクランプ13とスクロールリング14の内部と固定接続する。
【００１３】
その中、そのL字形のスライダー2は第一駆動モーター10と固定接続する。
【００１４】
本実用新型の有益な効果は：構造が簡単で、使用便利、操作しやすい、作業者の労働強度を削減し、スチールパイプが研磨後、パイプの滑らかさを高めた上、研磨する時間は短く、作業効率も上げる。
【００１５】
以上はただ本実用新型の具代的な実施方法であるが、本実用新型の保護範囲はこれだけではない、あらゆる創造性付きな労働でない想像できた変化と取替えは、皆本実用新型の保護範囲以内に属するべきである。だから、本実用新型の保護範囲は権利要求書が限定した保護範囲を基準にするべきである。
【符号の説明】
【００１６】
1  支柱
5  ウェルド
7  台座
11  スパウト
12  ストッパー
【図１】
0003201452.tif 000003
【図２】
0003201452.tif 000004